(57)【特許請求の範囲】
【請求項１】
路面に接触する踏み面（１０）を備えたタイヤトレッドバンド（１）であって、前記トレッドバンドが前記トレッドの厚み中に重ね合わされた少なくとも２つの摩耗層（Ｃ１，Ｃ２，Ｃ３）を有し、前記トレッドバンド（１）が第１の摩耗層（Ｃ１）及び少なくとも１つの他の摩耗層（Ｃ２，Ｃ３）を有し、前記第１の摩耗層（Ｃ１）が複数個の隆起要素（２１，２２）で形成され、各隆起要素が接触面を有し、前記第１の層が、少なくとも、全体として周方向の向きの溝（２０，２０′）を有し、前記トレッドが新品であるときに前記第１の摩耗層が路面と接触関係をなすようになっており、前記第１の摩耗層（Ｃ１）が完全に摩滅した後、他の摩耗層（Ｃ２，Ｃ３）が各々、路面に接触し、前記他の摩耗層が全体として周方向に延びる少なくとも１本のチャネル（３０）を有し、前記他の摩耗層に先行する前記摩耗層が完全に摩滅した後、前記他の摩耗層に達するやいなや前記少なくとも１本のチャネル（３０）が前記踏み面上に開口する、トレッドバンドにおいて、前記第１の摩耗層（Ｃ１）とは別個の各摩耗層（Ｃ２，Ｃ３）は、周方向に分布して配置された複数個の横方向切込み（３１）を有し、各横方向切込みは、前記他の摩耗層の摩耗レベルとは無関係に少なくとも１つの他の周方向に差し向けられたチャネル又は溝中に完全に又は部分的に開口するよう前記他の摩耗層のチャネル（３０）から周方向ではない方向に延びる、トレッドバンド。
【請求項２】
前記第１の摩耗層（Ｃ１）は、複数個の穴（４０）を有し、各穴は、トレッドが新品状態であるときに前記踏み面（１０）上に開口し、前記第１の摩耗層（Ｃ１）に続く内側の摩耗層（Ｃ２）のチャネル（３０）内に開口し、各穴（４０）は、前記穴が開口している前記チャネル（３０）の横方向寸法の少なくとも３０％に等しい主要な断面寸法を有する、請求項１記載のトレッドバンド。
【請求項３】
各穴（４０）は、チャネル（３０）中に開口した少なくとも１つの横方向切込み（３１）の開始箇所のところで当該チャネル（３０）中に開口する、請求項２記載のトレッドバンド。
【請求項４】
２つの連続して位置する穴相互間の間隔（Ｐ）は、接地面の平均長さの１／５以下である、請求項２又は３記載のトレッドバンド。
【請求項５】
前記第１の摩耗層（Ｃ１）は、前記トレッドが新品状態にあるときに前記踏み面（１０）上に開口し、次の摩耗層（Ｃ２）のチャネル（３０）中に開口するよう前記次の摩耗層（Ｃ２）まで延びている１つの長手方向に差し向けられた切込み（５０）を備え、前記長手方向に差し向けられた切込み（５０）は、前記穴（４０）を互いに結合している、請求項１〜４のうちいずれか一に記載のトレッドバンド。
【請求項６】
前記摩耗層の前記横方向切込みは、少なくとも１つの方向が遮断されている切込みである、請求項１〜５のうちいずれか一に記載のトレッドバンド。
【請求項７】
前記第１の摩耗層以外の摩耗層中の前記横方向切込みの延長部として、少なくとも１つの他の摩耗層を貫通する追加の切込みが設けられている、請求項１〜６のうちいずれか一に記載のトレッドバンド。
【請求項８】
前記トレッドの内側における前記横方向切込みのうちの少なくとも幾つかの延長部として、両端が開口した全体として横方向の向きのチャネルを形成する広幅部分が設けられている、請求項１〜７のうちいずれか一に記載のトレッドバンド。
【請求項９】
各摩耗層の最大排水容積は、前記第１の摩耗層の最大排水容積、即ち、新品状態における前記トレッドバンドの排水容積の少なくとも６０％に等しい、請求項１〜８のうちいずれか一に記載のトレッドバンド。
【発明の詳細な説明】
【技術分野】
【０００１】
本発明は、タイヤトレッドバンドの分野に関し、特に、本発明は、重量物運搬車両型の車両用タイヤトレッドバンドに関し、これらトレッドバンドは、幾何学的形状が摩耗につれて変化する踏み面（トレッド表面）を有している。本発明は又、かかるトレッドを成形するモールドに関する。
【背景技術】
【０００２】
タイヤトレッドバンドは、タイヤと路面との接触をもたらすようタイヤの外側で周方向に延びている。タイヤトレッドバンドと路面の接触は、接触パッチで起こる。トレッドバンドは、タイヤがスリップするのを阻止するために十分なグリップを提供する役割を持ち、このスリップ（滑り）は、加速中、制動中又はコーナリング中に起こる。タイヤトレッドバンドは、隆起要素例えばリブ又はブロックを有し、これら隆起要素は、溝（即ち、平均幅が２ｍｍを超える切れ目）により画定されている。さらに、これら隆起要素は、切込み、即ち、幅がせいぜい２ｍｍに等しい切れ目を備える場合がある。これら切込みの役割は、追加のエッジを作ると同時に多量のゴムコンパウンドを維持することにある。これら切込みは、遮断型のものであるのが良く、即ち、これら切込みを画定する対向した壁上にこれら壁の相対運動を制限する手段を有するのが良い。
【０００３】
各タイヤ製造業者が解決しようとしている１つの課題は、タイヤを交換しなければならない時点までのタイヤトレッドバンドの走行可能距離を増大させるということである。一解決手段は、トレッドバンドの厚さを増大させることであり、即ち、この増大量は、直角方向における一ステップ分であるが、これにより摩滅可能な材料が増えるので、ヒステリシス損及びかくして転がり抵抗（即ち、タイヤが転動しているときにタイヤにより消費されるエネルギーの量）の相当な増大も又観察される。したがって、どちらかといえば、タイヤトレッドバンドの厚さを減少させることのほうが望ましい。というのは、これは、トレッドバンドの剛性を増大させる作用効果及びかくしてヒステリシスによる熱損失を減少させるという作用効果があるからである。この別の方式では、良好な耐摩耗性を有するゴムを主成分とするコンパウンドを用いることが可能である。トレッドバンドの厚さを減少させることにより、高いヒステリシスをもつゴムコンパウンドの使用が可能になる場合がある。
【発明の概要】
【発明が解決しようとする課題】
【０００４】
タイヤ製造業者の直面している別の共通の課題は、タイヤの有効寿命全体を通じ、即ち、トレッドバンドの摩耗レベルとは無関係にタイヤの性能を維持するという課題である。通常、濡れた路面上での運転時に水の良好な排出を保証するのに必要な溝の中空容積は、トレッド摩耗につれて減少する。本発明の目的は、部分的摩耗に続くグリップの面における性能を維持すると同時にトレッドが低い転がり抵抗及び良好な耐摩耗性を維持するトレッドバンドを提供することにある。
【０００５】
したがって、タイヤトレッドバンドが部分的に摩耗した後に所与の容積の切れ目を有するが、その摩耗レベルとは無関係に、特に、新品状態においてタイヤの性能を損なうことのないタイヤトレッドバンドが要望されている。
【課題を解決するための手段】
【０００６】
本発明の要旨は、路面に接触する踏み面を備えたタイヤトレッドバンドであって、トレッドバンドがトレッドの厚み中に重ね合わされた少なくとも２つの摩耗層を有し、各摩耗層が厚さを有するタイヤトレッドバンドにある。新品状態において、このトレッドバンドは、
‐第１の摩耗層を有し、第１の摩耗層は、複数個の隆起要素で形成され、各隆起要素は、接触面を有し、第１の層は、少なくとも、全体として周方向の向きの溝を有し、第１の摩耗層は、トレッドが新品であるとき及びこの摩耗層の厚さに対応した摩耗レベルに至るまでは路面と接触関係をなすようになっており、
‐少なくとも１つの他の摩耗層を有し、かかる他の摩耗層は各々、第１の摩耗層が完全に摩滅した後、路面に接触し、他の摩耗層は、全体として周方向に延びる少なくとも１本のチャネルを有し、少なくとも１本のチャネルは、他の摩耗層に先行する摩耗層が完全に摩滅した後、他の摩耗層に達するやいなや踏み面上に開口する。
【０００７】
このレッドバンドは、第１の摩耗層とは別個の各摩耗層が周方向に分布して配置された複数個の横方向切込みを有し、各横方向切込みが他の摩耗層の摩耗レベルとは無関係に少なくとも１つの他の周方向に差し向けられたチャネル又は溝中に完全に又は部分的に開口するよう問題の摩耗層のチャネルから周方向ではない方向に延びるようなものである。
【０００８】
かくして、新品状態における長手方向溝の深さを減少させることができ、それにより、部分摩耗により第１の摩耗層が摩滅した後に新たな溝が現れ、それと同時に、横方向切込みが新たな摩耗層に現れるようになる。この場合、これにより、トレッドの圧縮性がかなり制限され、新品状態におけるトレッド中におけるエネルギーの散逸がそれに応じて一層制限される。というのは、切込みが新品状態では踏み面上に開口せず、その使用の第２段階においてトレッドに満足の行くトラクションを与えるよう部分摩耗に続いて現れるに過ぎないからである。
【０００９】
また、各新たな横方向切込みは、この切込みの各側に位置したトレッドバンドの要素相互間の機械的結合解除を達成するよう別の溝中に開口することが必要不可欠である。この理由は、接触パッチから出ていっている要素の部分が切込みの他方の側に位置した同一要素の部分を同伴するのを阻止するためである。
【００１０】
有利な変形形態では、各摩耗層の最大排水容積は、第１の摩耗層の最大排水容積、即ち、新品状態におけるトレッドバンドの排水容積の少なくとも６０％に等しい。摩耗層の最大排水容積は、公称の使用条件下における接触パッチの平均長さに踏み面上に開口した考察対象の摩耗層の溝の断面積の和を乗算することによって評価される。
【００１１】
本発明の改造形態では、第１の摩耗層は、複数個の穴を有し、各穴は、トレッドが新品状態であるときに踏み面上に開口し、第１の摩耗層に続く内側の摩耗層のチャネル内に開口する。各穴は、穴が開口しているチャネルの横方向寸法の少なくとも３０％、より好ましくは少なくとも５０％に等しい主要な断面寸法を有する。この場合の穴の主要断面寸法は、穴が円形断面である場合にはその直径を意味し、その断面が長円形である場合にはその長軸及び短軸を意味し、或いは、これが長方形断面の場合にはその幅及び長さを意味している。
【００１２】
好ましくは、チャネル中に開口した穴の数は、トレッドバンドが路面と接触する領域に複数個の穴が存在するよう選択される。この数は、２つの連続して位置する穴相互間の間隔が接触パッチの平均長さの１／５以下であるように選択されることが有利である。接触パッチの平均長さは、かかるトレッドバンドを備えたタイヤの用いられる公称条件（これら条件は、特にＥＴＲＴＯによって提供されている）に対応した圧力及び加重条件について定められる。これら穴が設けられていることは、トレッドを通気することによってトレッド中の温度を減少させる利点とこの真上（即ち、チャネルを備えた摩耗層とトレッドバンドの踏み面との間）に位置した摩耗層がいったん完全に摩滅すると、新たな溝を良好に出現させる利点の両方が得られる。確かに、新たな溝がチャネルから現れる仕方を先の層が摩滅した後に最初に路面に接触するチャネル画定部分上に不連続部と言えばよいようなものを作る穴の存在によって改善することができる。
【００１３】
有利には、各穴は、チャネル中に開口した少なくとも１つの横方向切込みの開始箇所のところでこのチャネル中に開口する。
【００１４】
本発明の他の特徴及び他の利点は、非限定的な例として本発明の幾つかの実施形態を記載した添付の図面を参照して以下に与えられる説明から明らかになろう。
【図面の簡単な説明】
【００１５】
【図１】厚み中に２つの摩耗層を有する本発明のトレッドバンドの部分図である。
【図２】図１に示されているトレッドバンドのＩＩ‐ＩＩ線矢視断面図である。
【図３】図１に示されているトレッドバンドの第２の摩耗層に達したときの踏み面の平面図である。
【図４】各チャネルを新品状態のトレッドの踏み面に結合する複数個の穴を有する本発明の変形形態の図である。
【図５】図４に示された変形形態の断面図である。
【図６】厚み中に３つの摩耗層を有する本発明のトレッドバンドの変形形態を示す図である。
【図７】本発明のトレッドの別の変形形態の踏み面の図であり、切込みがこの踏み面上に開口している状態を示す図である。
【図８】図７に示されたトレッドのＶＩＩＩ‐ＶＩＩＩ線矢視断面図である。
【発明を実施するための形態】
【００１６】
定義
【００１７】
‐タイヤの赤道面は、タイヤの回転軸線に垂直であり、タイヤを２つのタイヤ半部に分ける平面である。この赤道面は、特に、回転軸線から見て半径方向最も遠くに位置するタイヤ上の箇所を含む。
‐第１の箇所は、この第１の箇所が回転軸線からの第２の箇所の距離よりも長い回転軸線からの距離のところに位置している場合、第２の箇所の半径方向外側に位置していると言える。
‐タイヤの子午線断面は、タイヤの回転軸線を含む平面内で取られたタイヤの断面である。
‐周方向は、この場合、回転軸線上に中心をもつ円のあらゆる箇所における接線方向を意味している。
‐半径方向は、この場合、回転軸線に垂直な方向を意味している。
‐軸方向又は横方向は、この場合、半径方向に垂直であり且つタイヤの回転軸線に平行な方向を意味している。
【００１８】
読みやすくするために、以下の説明全体にわたって同一の参照符号が全ての変形形態について用いられており、ただし、この参照符号が同一の構図を有すると共に同一の機能を実行する要素を示すものとする。
【００１９】
図１は、本発明に従って構成されたタイヤのトレッドバンド１の平面図である。このトレッド１は、３つの主要な溝２０により形成されたトレッドパターンを有し、これら溝は、周方向に差し向けられていて、中間部リブ２２を画定すると共にこれら中間部リブの軸方向各側に縁部リブ２１を画定しており、これら溝は、走行中、路面に接触するようになっている踏み面（トレッド表面）１０上に開口している。図示のトレッド１は、摩耗していない新品状態のトレッドに対応している。この条件では、溝は全て、同一の深さＰ２０及び幅Ｌ２０を有し、これらの寸法は、特に、雨天下において路面上に存在する水を排出するのに有効である。また、この図１では、２つの中間部リブ２２中に周方向に差し向けられたチャネル３０の存在が見て取れ、加うるに、これらチャネルは、溝２０中に開口した切込み３１と交差している。
【００２０】
図２は、図１に示されたトレッドバンドの踏み面１０上のそのＩＩ‐ＩＩ線に沿って取った断面平面における断面図である。この断面図では、チャネル３０が新品状態の踏み面から距離Ｈ１のところに位置していることが理解でき、この厚さＨ１は、溝２０だけが存在していて作用状態にある第１の摩耗層を定めている。チャネル３０は、トレッドの厚さの方向に測定して高さＨ２を有し、この高さＨ２は、主要な溝２０とトレッド摩耗レベルが少なくとも高さＨ１に等しくなるやいなや生じる新たな溝の両方を働かせる第２の摩耗層Ｃ２を定めている。
【００２１】
また、各チャネルの各側において、溝２０まで延びている切込みが見て取れる。かくして、摩耗レベルが第２の摩耗層Ｃ２に達すると、即ち、第１の摩耗層Ｃ１が完全に摩滅した後、チャネルは、溝２０を補完する新たな溝を形成する。このように、路面と接触状態にある溝の領域がかなり増大し、それと同時に、新品状態であったときの容積に実質的に等しい溝容積が再び得られる。さらに、横方向切込み３１が第２の摩耗層にのみ設けられていることにより、初期状態にあるトレッドは、変形によるヒステリシス損を減少させるのに有利な全体的に高い剛性を有すると同時に第２の摩耗層が路面と接触関係をなして作用状態にあるとき、これら切込みの各側に位置した新たなリブの部分相互間の機械的結合解除をもたらすことができる。
【００２２】
図３は、トレッドバンドの第２の摩耗層が作用状態になったときの新たな踏み面１０′の平面図である。各リブ２２は、新たなリブ２２′，２２″で置き換えられており、これら新たなリブは、新たな踏み面１０′上に開口したチャネル３０により形成される溝を画定している。この図３で理解できるように、これら新たなリブは、溝２０とチャネル３０の両方中に開口した切込み３１が設けられることによって生じる周方向の不連続部を有しており、複数個の切込みが永続的に接触状態にあるので、これら不連続部は、各切込みの各側に周方向に位置した同一の新たなリブ２２′又はリブ２２″の部分相互間の機械的結合解除をもたらす。
【００２３】
図２は、溝２０が新品状態におけるトレッドバンドの踏み面１０上に開口し、全て、同一の幅Ｌ２０及び同一の深さＰ２０を有することを示しており、この深さＰ２０は、第１の摩耗層Ｃ１の高さＨ１と第２の摩耗層Ｃ２の高さＨ２の合計に実質的に等しい。この特定の場合、第１の摩耗層の排水容積は、各周方向溝２０により提供される排水容積の３倍に等しい。各溝２０の容積は、図の紙面で見てこの溝の断面積に実質的に比例する。この第１の摩耗層が摩滅すると、即ち、第２の摩耗層が現れると、排水容積は、新品状態の第１の摩耗層の容積の実質的に７５％に等しいレベルにある。この新たな排水容積は、チャネル３０により形成される新たな溝の容積を残りの深さＨ２の３つの周方向溝２０の排水容積に加えることによって得られる。
【００２４】
図４及び図５に示された変形形態では、図１〜図３の変形形態と比較して新たな要素が導入されており、これは、円筒形の形をしていると共に円形断面を有する穴の存在であり、これら穴は、新品状態におけるトレッドバンドの踏み面上に開口すると共にチャネル３０中に開口するよう第１の摩耗層を貫通している。
【００２５】
これら穴は、チャネル３０の幅Ｌ３０の少なくとも３０％に等しい直径を有している。この特定の場合、この直径は、幅Ｌ３０に等しい。これら穴は、この場合、半径方向に差し向けられているが、当業者であれば、必要に応じてこれらの穴に角度を付けることができる。各穴の断面形状は、楕円形であっても良く、有利には、楕円の長軸は、周方向に差し向けられる。
【００２６】
かかる穴の数が十分であることにより、即ち、穴がトレッドを備えたタイヤの公称条件下で得られる接触パッチの長さの１／５よりも短い間隔Ｐで設けられていることにより、新たな溝の生成具合は、トレッドバンドが摩耗状態になったときに相当改善される。図示の例の場合のように、これら穴は、チャネルを他のチャネル又は溝に結合する切込みの位置と一致することが有利である。
【００２７】
ちょうど今説明した２つの変形実施形態の場合、成形は、摩耗タイヤの更生（山掛け）に用いられるのと同一な仕方でトレッドをタイヤブランク上に取り付ける前にトレッドの半径方向外面及び半径方向内面を成形するモールドを用いて種々の溝、チャネル、切込み及び穴を成形により成形することによって実施可能である。
【００２８】
本発明のトレッドバンドの別の変形形態が図６に断面で示されている。この断面図では、トレッドバンドが３つの摩耗層Ｃ１，Ｃ２，Ｃ３を有し、これら摩耗層は、それぞれ、新品状態のトレッド上に見える第１の摩耗層Ｃ１から始まっていることが理解できる。これら摩耗層は、それぞれの厚さＨ１，Ｈ２，Ｈ３を有し、これらの厚さは、第１の摩耗層からトレッドの内側寄りに最も遠くに位置する最後の層まで増大している。トレッドが新品であるとき、別の溝２０′と一緒に深さＰ２０の溝２０だけが踏み面１０上に開口し、溝２０′の深さＰ２０′は、第１の摩耗層Ｃ１の厚さＨ１に実質的に等しい。
【００２９】
この溝Ｐ２０′の半径方向内側には、長さＬ３０′及び第３の摩耗層Ｃ３の厚さに実質的に等しい深さＰ３０′のチャネル３０′が形成されている。溝Ｐ２０′とこのチャネル３０′との間には、複数個の穴４０′が形成され、これら穴４０′は、溝Ｐ２０′及びチャネル３０′中に開口している。
【００３０】
溝２０と溝２０′との間で軸方向には深さＰ３０及び幅Ｌ３０のチャネル３０が設けられていることが理解でき、各チャネルは、各側に深さ中に設けられたジグザグの切込み３１を備えると共に一方の側が溝２０中に開口すると共に他方の側が部分的に溝２０′中に開口すると共に部分的にチャネル３０′中に開口している。チャネル３０は、穴４０を備え、これら穴は、第１の摩耗層Ｃ１中への半径方向外方のチャネルの延長部として設けられている。
【００３１】
溝２０′の下に形成されているチャネル３０′は、各側に、深さ中に設けられた複数個のジグザグの切込み３１′を備え、これら切込み３１′は、チャネル３０中に開口している。
【００３２】
高さＨ２の第２の摩耗層Ｃ２は、チャネル３０の最も外側の部分と溝２０′の下に半径方向に位置したチャネル３０′の最も外側の部分との間に形成されている。
【００３３】
図７及び図８に示されている最後の変形形態は、図６の変形形態と極めて類似しており、切込み３１が新品状態のトレッドバンドの踏み面まで延長されているという少なくとも１つの相違点がある。この変形形態では、第１の摩耗層以外の摩耗層の横方向切込みの延長部として、相補切込みが設けられ、これら相補切込みは、少なくとも１つの他の摩耗層を貫通している。このトレッドバンドは、３１５／７０Ｒ２２．５サイズのタイヤに装着され、公称使用条件は、膨張圧力が８バール、支持荷重は、３０００ｄａＮである。これら公称条件下において、接触パッチの平均長さは、２００ｍｍに等しい。
【００３４】
新品状態のトレッドバンドの踏み面１０の平面図である図７で理解できるように、３つの周方向溝２０，２０′は、トレッドの軸方向エッジを形成する溝２１を画定すると共に縁部リブ相互間に軸方向に位置するリブ２２を画定している。この図７では、複数個の穴４０が各中間部リブ２２に形成されていることが理解でき、これら穴の各側における軸方向延長部として、切込み３１が設けられ、踏み面１０上におけるこれら切込みの線は、これら切込みがＶを形成するよう傾けられている。この特定の場合、中間部リブ２２の切込み３１は、他の中間部リブの切込みにより形成されたＶとは逆の方向に向いたＶを形成している。実質的にトレッドバンドの子午線平面内に位置する溝２０′の底部には、円筒形の形をした穴４０′が設けられていることが理解できる。トレッド踏み面上で見て、切込み３１，３１′のなす角度は、この場合、横方向（即ち、トレッドを備えたタイヤの回転軸線の方向）に対して３０°である。
【００３５】
さらに、穴４０，４０′は、各リブ２２上で且つ溝２０′の底部で追加のジグザグの形をした切込み５０，５０′によりそれぞれ互いに結合されている。これら切込み５０，５０′は、トレッドの内側でそれぞれチャネル３０，３０′中に開口している。この場合、第１の摩耗層Ｃ１は、その高さ全体にわたって、トレッドが新品状態にあるときに踏み面上に開口すると共に次の摩耗層のチャネル上に開口するようこの次の摩耗層まで延びる周方向に差し向けられた切込み（又は、これは、均等例として長手方向に差し向けられた切込み）を備えている。これら追加の切込み５０，５０′は、摩耗層Ｃ２，Ｃ３が摩耗に続いて踏み面のところに現れたときに新たな溝の良好な形成を可能にするようこれら切込みが互いに結合する穴（４０）により提供される有利な作用効果を高めている。
【００３６】
図８は、図７の線が線ＶＩＩＩ‐ＶＩＩＩに続く断面平面におけるこのトレッドの断面図である。この図８は、切込み３１が新品状態のトレッドの踏み面上にも開口している点を除き、図６に示されているのと実質的に同一の断面を示している。さらに、切込み３１′は、各側に軸方向に位置した切込み３１の連続部中に形成されている。この構成により、このトレッドを溝、切込み及び下に位置するチャネルの成形に適した凸状要素を備えたモールドで成形することによりこのトレッドを成形することが容易である。
【００３７】
考察対象のリブがどのようなものであれ、穴相互間の間隔Ｐは、２５ｍｍに等しい（この間隔は、この場合、横方向切込み相互間の間隔でもある）。リブ２２中に形成された穴は、円形の断面を有すると共に４ｍｍの直径を有している。溝２０の幅Ｌ２０は、６ｍｍに等しく、これらの深さＰ２０は、１５ｍｍに等しく、チャネル３０の幅Ｌ３０は、５ｍｍに等しく、チャネル３０′の幅Ｌ３０′は、８ｍｍに等しい（この幅Ｌ３０′は、チャネル３０′の半径方向外側に位置した溝２０′の幅に等しい）。３つの摩耗層の厚さＨ１，Ｈ２，Ｈ３は、全て、５ｍｍに等しい。接触パッチの平均長さについて計算された新品状態のトレッドバンドの排水容積は、実質的に４４ｃｍ3に等しい。第１の摩耗層Ｃ１が摩滅した後であって第２の摩耗層Ｃ２が現れた時点における接触パッチの同一の平均長さについて計算されたトレッドバンドの排水容積は、実質的に４４ｃｍ3に等しい。第２の摩耗層Ｃ２が摩滅した後であって第３の摩耗層Ｃ３が現れた時点における接触パッチの同一の平均長さについて計算されたトレッドバンドの排水容積は、実質的に３０ｃｍ3に等しい。
【００３８】
理解できるように、本発明のトレッドバンドにより、新品状態の排水容積を減少させる一方で、当然のことながら、濡れた路面上を運転しているときに良好な排水性能を発揮するのに十分な容積を依然として有することが可能である。この減少により、従来型トレッドバンドと比較して剛性の高いトレッドを得ることができる。さらに、各新たな摩耗層について新たな溝が出現することは、同一摩耗度後に従来型トレッドバンドと比較して高い排水容積を保つことが可能であるということを意味している。この特定の場合、第２の摩耗層の排水容積は、新品状態の排水容積に等しく、第３の摩耗層の排水容積は、技術の現状のトレッドバンドの排水容積と比較した場合、比較的高いレベルに保たれる。というのは、この排水容積は、新品状態の排水容積の６８％に等しいからである。
【００３９】
有利には、摩耗層中の横方向切込みは、少なくとも一方向が遮断されている切込み、例えば、深さ方向に又は幾つかの互いに異なる方向にジグザグ部又は起伏部を有し、例えば、切込みの深さ方向と長さ方向の両方向において二重ジグザグ部又は二重起伏部を有する切込みである。
【００４０】
図示していない別の変形形態では、横方向切込みのうちの少なくとも幾つかのトレッドの内側における延長部として、両端が開口した全体として横方向の向きのチャネルを形成する広幅部分が設けられている。
【００４１】
本発明は、図示すると共に説明した実施例には限定されず、本発明の範囲から逸脱することなくこれら実施例の種々の改造例を想到できる。
【図１】
0005583686.tif 000002
【図２】
0005583686.tif 000003
【図３】
0005583686.tif 000004
【図４】
0005583686.tif 000005
【図５】
0005583686.tif 000006
【図６】
0005583686.tif 000007
【図７】
0005583686.tif 000008
【図８】
0005583686.tif 000009